(57)【要約】【課題】利用者が安全に取り扱うことができ、かつ冷却効率の高いランプユニットを得る。【解決手段】ハウジング１０には、開口部２１を開閉するシャッター２２が設けられている。このランプユニット１がプロジェクタに組み込まれていない状態では、開口部２１は、組み込まれていない状態では閉じており、組み込まれた状態では開いた状態となる。このランプユニット１におけるシャッター駆動用突起３１はランプユニット１が組み込まれる際に自動的に移動するため、組み込まれた状態ではシャッター２２が開いた状態となる。一方、このランプユニット１を取り外す際には、バネの力によってシャッター駆動用突起３１はシャッター２２が閉じる方向に移動する。【選択図】図１
2008268691.tif 000002
【特許請求の範囲】
【請求項１】
光源と、該光源が固定されるハウジングとが一体となって形成され、前記ハウジングには前記光源を冷却する冷却風が吸入される開口部が設けられ、機器に組み込まれて使用されるランプユニットであって、
前記開口部にはシャッターが設けられ、
前記ハウジングにはシャッター操作用突起が設けられ、
前記ランプユニットが前記機器に組み込まれる際に、前記シャッター操作用突起が移動することにより、前記シャッターが開くことを特徴とするランプユニット。
【請求項２】
前記シャッター操作用突起が移動する方向と、前記シャッターが開閉する方向とは略垂直であることを特徴とする請求項１に記載のランプユニット。
【請求項３】
前記シャッター操作用突起はシャッターガイドに形成され、該シャッターガイドはバネを介して前記ハウジングに接続されていることを特徴とする請求項１又は２に記載のランプユニット。
【請求項４】
前記シャッターには複数の溝が形成され、前記シャッターガイドには前記複数の溝と係合する複数の突起が形成されたことを特徴とする請求項３に記載のランプユニット。
【請求項５】
前記ハウジングには前記冷却風が排気される排気用開口部が設けられたことを特徴とする請求項１乃至４のいずれか１項に記載のランプユニット。
【請求項６】
前記排気用開口部にはメッシュ構造部材が設けられたことを特徴とする請求項５に記載のランプユニット。
【請求項７】
請求項１乃至６のいずれか１項に記載のランプユニットが組み込まれる機器であって、
前記冷却風を生成する空冷手段と、
前記ランプユニットが組み込まれる際に、前記シャッター操作用突起を移動させるシャッター操作用係止部と、
を具備することを特徴とする機器。
【請求項８】
前記機器はプロジェクタであることを特徴とする請求項７に記載の機器。
【請求項９】
光源と該光源が固定されるハウジングとが一体となって形成され、前記ハウジングには前記光源を冷却する冷却風を吸入する開口部が設けられたランプユニットが組み込まれる機器において前記光源を冷却する、光源の冷却方法であって、
前記開口部にシャッターを設け、
前記ランプユニットが前記機器に組み込まれる際に、前記ハウジングに設けられたシャッター操作用突起が移動することにより、前記シャッターが開き、
前記開口部から前記冷却風を吸入させることを特徴とする光源の冷却方法。
【発明の詳細な説明】
【技術分野】
【０００１】
本発明は、プロジェクタ等の機器に組み込まれて用いられ、利用者が容易に交換を行うことのできる、光源を内部に有するランプユニット、及びこのランプユニットが用いられる機器に関する。また、この光源を冷却する冷却方法に関する。
【背景技術】
【０００２】
プロジェクタ等の表示用機器には、発光強度の高い光源として、例えば水銀ランプ等が用いられる。水銀ランプは、ガラス管内に電極が設けられ、高圧の水銀蒸気が封入された構造となっている。水銀ランプは一般には消耗品であり、所望の発光強度が得られなくなった場合には利用者によって交換される。また、水銀ランプは使用中には高温となり、加熱によってガラス管が割れることがあり、この場合にも利用者による交換作業が必要となる。更に、交換作業時に利用者が接触することによってガラス管が割れることもある。
【０００３】
こうした使用状況に対応して、水銀ランプは、利用者にとっての交換が容易なように、水銀ランプとその周辺部品とが一体となったランプユニットとして用いられている。水銀ランプ交換時には、利用者はこのランプユニットを交換することにより、直接水銀ランプに接触することが不要となる。このため、水銀ランプのガラス管が割れた場合でも、利用者は割れたガラス管に接触することがない。また、利用者が接触することによってガラス管が割れることもない。従って、利用者は安全にランプユニットの交換を行うことができる。
【０００４】
例えば、こうしたランプユニットが用いられる機器においては、ランプユニットの中の水銀ランプの加熱を抑制できる構造であることが必要である。このため、こうした機器は、空冷手段を備えており、使用時にはランプユニット中の水銀ランプに冷却風が当たる構成となっている。このため、ランプユニットにはこの冷却風を吸入させる開口部が設けられている。
【０００５】
例えば、特許文献１には、この開口部にメッシュ構造部材を設けたランプユニットが記載されている。図７に、このランプユニット４１の構造を示す。ここで、図７（ａ）はその外観図であり、図７（ｂ）はその組立構成図である。このランプユニット４１においては、水銀ランプ４２が、ランプカートリッジベース４３に固定されている。また、ＵＶガラス４４、ＵＶガラスベース４５、金属メッシュ４６等が他の構成部品（説明は省略）と共にランプカートリッジベース４３を基体として固定される。組み立てられた後には、水銀ランプ４２の両側には開口部４７が形成され、この開口部４７には金属メッシュ４６が設けられた構造となっている。
【０００６】
この構成により、利用者はこのランプユニット４１を交換することで、容易に水銀ランプ４２の交換をすることができる。また、このランプユニット４１が機器（例えばプロジェクタ）に組み込まれた場合には、冷却ファン（図示せず）により発生した冷却風が金属メッシュ４６を通って一方の開口部４７から吸入され、他方の開口部４７から排気される。これにより水銀ランプ４２が冷却される。また、水銀ランプ４２のガラス管が割れた場合でも、金属メッシュ４６の存在により、ガラスの破片がランプユニット４１の外部に飛散することはない。このため、利用者はこのランプユニット４１の交換を安全に行うことができた。
【０００７】
また、同じく特許文献１には、金属メッシュを設ける代わりに、内側だけに開く開閉板をこの開口部に設けた構造が記載されている。この構造においては、冷却風の送風による風圧で開閉板が内側に開き、冷却風が導入される。一方、冷却風が止まれば、開閉板は閉じるために、ガラス片の飛散を抑制することができる。このため、やはり安全にランプユニットの交換を行うことができた。
【特許文献１】特開２００１−２５６８１９号公報
【発明の開示】
【発明が解決しようとする課題】
【０００８】
しかしながら、開口部に金属メッシュを設けた構造においては、金属メッシュを設けない場合と比べて冷却効率が低下する。特に、このランプユニットが用いられる機器が使用される環境によっては、埃等によってメッシュの開口が塞がれ、大きく冷却効率が低下することがある。
【０００９】
また、開閉板を開口部に設けた構造においては、冷却風の風圧によりこの開閉板が開いた状態になる必要があるが、冷却風の一部はこの開口板で反射する。従って、この構造においても、冷却効率は開閉板が無い場合と比べて低下する。
【００１０】
従って、利用者が安全に取り扱うことができ、かつ冷却効率の高いランプユニットを得ることは困難であった。
【００１１】
本発明は、斯かる問題点に鑑みてなされたものであり、上記問題点を解決する発明を提供することを目的とする。
【課題を解決するための手段】
【００１２】
本発明は、上記課題を解決すべく、以下に掲げる構成とした。
本発明のランプユニットは、光源と、該光源が固定されるハウジングとが一体となって形成され、前記ハウジングには前記光源を冷却する冷却風が吸入される開口部が設けられ、機器に組み込まれて使用されるランプユニットであって、前記開口部にはシャッターが設けられ、前記ハウジングには、シャッター操作用突起が設けられ、前記ランプユニットが前記機器に組み込まれる際に、前記シャッター操作用突起が移動することにより、前記シャッターが開くことを特徴とする。
本発明のランプユニットは、前記シャッター操作用突起が移動する方向と、前記シャッターが開閉する方向とは略垂直であることを特徴とする。
本発明のランプユニットにおいて、前記シャッター操作用突起はシャッターガイドに形成され、該シャッターガイドはバネを介して前記ハウジングに接続されていることを特徴とする。
本発明のランプユニットにおいて、前記シャッターには複数の溝が形成され、前記シャッターガイドには前記複数の溝と係合する複数の突起が形成されたことを特徴とすることを特徴とする。
本発明のランプユニットにおいて、前記ハウジングには前記冷却風が排気される排気用開口部が設けられたことを特徴とする。
本発明のランプユニットにおいて、前記排気用開口部にはメッシュ構造部材が設けられたことを特徴とすることを特徴とする。
本発明の機器は、前記ランプユニットが組み込まれる機器であって、前記冷却風を生成する空冷手段と、前記ランプユニットが組み込まれる際に、前記シャッター操作用突起を移動させるシャッター操作用係止部と、を具備することを特徴とする。
本発明の機器はプロジェクタであることを特徴とする。
本発明の光源の冷却方法は、光源と該光源が固定されるハウジングとが一体となって形成され、前記ハウジングには前記光源を冷却する冷却風が吸入される開口部が設けられたランプユニットが組み込まれる機器において前記光源を冷却する、光源の冷却方法であって、前記開口部にシャッターを設け、前記ランプユニットが前記機器に組み込まれる際に、前記ハウジングに設けられたシャッター操作用突起が移動することにより、前記シャッターが開き、前記開口部から前記冷却風を吸入させることを特徴とする。
【発明の効果】
【００１３】
本発明は以上のように構成されているので、利用者が安全に取り扱うことができ、かつ冷却効率の高いランプユニットを得ることができる。
【発明を実施するための最良の形態】
【００１４】
以下、本発明を実施するための最良の形態について説明する。
【００１５】
本発明の実施の形態であるランプユニット１の外観図が図１であり、その分解組み立て図が図２である。このランプユニット１は、プロジェクタに組み込まれて用いられ、光源が交換される際には、このランプユニット単位で交換される。なお、便宜上、図１と図２においては、左右の関係が逆になっている。すなわち、図１においては左側に向かって光が照射される方向（白矢印）であるが、図２においては、右側に向かって光が照射される方向となっている。
【００１６】
このランプユニット１においては、水銀ランプ２が光源として用いられる。水銀ランプ２は、ガラス管の中に電極が設けられ、高圧の水銀蒸気が封入された構造となっている。また、図２に示されるように、この水銀ランプにおいては、この形態と反射鏡とが一体化された構造となっている。図１に示されるように、水銀ランプ２は、ハウジング１０に固定されている。
【００１７】
ハウジング１０は、複数の部品が一体化されて構成されている。ハウジング１０は、ランプカートリッジベース１１、ランプ固定アングル１２、ランプスプリング１３、ＵＶガラス１４、ＵＶガラスホルダー１５、ＵＶガラスバネ１６で構成される。
【００１８】
ランプカートリッジベース１１は、ハウジング１０及びランプユニット１の基体となる部分であり、金属又は樹脂で形成され、充分な機械的強度を有する。ランプ固定アングル１２は、水銀ランプ２が直接固定される箇所であり、ランプカートリッジベース１１にビス止め固定される。その材質は機械的強度、耐熱性の高い金属が好ましい。水銀ランプ２は、ランプ固定アングル１２とランプスプリング１３との間に挟まれる形で固定される。これらの固定も、ビス止めによってなされる。
【００１９】
ランプ固定アングル１２には、水銀ランプ２から発した光が透過する開口が設けられており、この光は、ＵＶガラス１４を透過して出力される。ＵＶガラス１４はランプユニット１の窓となる部分である。ＵＶガラス１４は、金属製のＵＶガラスホルダー１５とＵＶガラスバネ１６との間に挟まれて固定される。この固定もビス止めによってなされる。
【００２０】
この水銀ランプ２にはプロジェクタ本体からコネクタを介して電力が供給されることによって発光する。すなわち、この構成によって水銀ランプ２はこのハウジング１０に固定され、プロジェクタ内で光を出力して用いられる。
【００２１】
ここで、水銀ランプ２が発光する際には発熱し、高温になる。この際、水銀ランプ２のガラス管が破損するおそれがあるため、このランプユニット１は、水銀ランプ２を空冷する構造となっており、プロジェクタ本体には空冷ファン（図示せず）が設けられ、これにより発生した冷却風により水銀ランプ２が冷却される構造となっている。
【００２２】
このための構造がハウジング１０の側面に設けられている。このハウジング１０には、冷却風を内部に吸入させ、水銀ランプ２を冷却するための開口部２１が設けられている。具体的には、図２に示すように、開口部２１はＵＶガラスホルダー１５及びＵＶガラスバネ１６の側面に設けられた開口が組み合わされて構成される。また、ランプ固定アングル１２には、開口部２１を開閉するシャッター２２が設けられている。
【００２３】
このシャッター２２の開閉は、シャッターガイド２３の動作によってなされる。シャッター２２及びシャッターガイド２３は、機械的強度及び耐熱性の高い金属で形成される。図３（ａ）（ｂ）はこの動作及びシャッター２２とシャッターガイド２３周辺の構造を示す図である。この図は、図１中のＡ方向から見た図である。また、図３（ａ）は開口部２１がシャッター２２により閉じられた状態であり、図３（ｂ）は開いた状態を示す。また、図３においては、光は左側に出射する。また、破線矢印は後述するように、このランプユニット１が組み込まれる方向である。
【００２４】
図３において、ランプ固定アングル１２の側面には、シャッターガイド用溝２４、２５が形成されており、シャッターガイド２３のランプ固定アングル１２と接する側には、この溝に係合する２つの突起部が設けられている。シャッターガイド用溝２４、２５は、図３（ａ）に示すように、互いに平行であり、図３中では上下方向から図中では右側に少し傾いた角度をなしている。この構造により、シャッターガイド２３は可動となるが、その動く方向はシャッターガイド用溝２４、２５で規定される。すなわち、シャッターガイド２３が動く方向は、シャッターガイド用溝２４、２５と同一の方向であり、他の方向には動かない。
【００２５】
また、ランプ固定アングル１２におけるシャッターガイド用溝２４、２５が形成された面の、シャッターガイド２３が設けられた側とは反対側において、シャッターガイド２３の下部とランプ固定アングル１２の上部とはシャッターガイド用バネ２６で接続されている。すなわち、シャッターガイド２３はシャッターガイド用バネ２６を介してハウジング１０に接続されている。シャッターガイド用バネ２６の一端はシャッターガイド２３の下部にある突起に掛止され、他端はランプ固定用アングル１２の上部にある突起に掛止される。このため、シャッターガイド２３に対しては、図３（ａ）において、シャッターガイド用バネ２６による弾性力が上側に向かって働く。これにより、図３（ａ）に示すように、他から力の加わらない状態では、シャッターガイド２３は、シャッターガイド用溝２４、２５に沿った方向で一番上側の箇所に固定される。
【００２６】
シャッター２２は、シャッターガイド２３に対して、ランプ固定用アングル１２とは反対側の面側に設置される。シャッター２２には複数の溝が形成され、シャッターガイド２３にはこの複数の溝と係合する複数の突起が形成されることにより、シャッターガイド２３に対するシャッター２２の動作が規定される。すなわち、シャッター２２には、シャッター位置決め用溝２７、２８が形成されており、シャッターガイド２３には、このシャッター位置決め用溝２７、２８に係合する突起であるシャッターガイドハーフパンチ２９が２箇所に形成されている。シャッター位置決め用溝２７、２８は図３（ａ）に示すように、互いに平行であり、図３中では上下方向から右側にシャッターガイド用溝２４、２５よりも傾いた角度をなして形成されている。また、シャッター２２には、シャッター位置決め用溝２７、２８と平行のシャッター駆動用溝３０も設けられている。シャッターガイド２３には、このシャッター駆動用溝３０に係合するシャッター駆動用突起３１がシャッター２２の側に設けられている。従って、シャッター２２とシャッターガイド２３との位置関係は、シャッター位置決め用溝２７、２８とシャッターガイドハーフパンチ２９、及びシャッター駆動用溝３０とシャッター駆動用突起３１との位置関係で規定される。ここで、シャッターガイド２３の移動に応じて、シャッター駆動用突起３１、シャッターガイドハーフパンチ２９が移動し、これらはシャッター駆動用溝３０、シャッター位置決め用溝２７、２８内を移動し、シャッター２２が移動する。
【００２７】
ここで、基体となるのはランプ固定アングル１２であり、シャッターガイド２３とシャッター２２はこの上で移動する。ランプ固定アングル１２においては、シャッター開閉方向溝３２がシャッターガイド２３よりも上側に形成されている。シャッター開閉方向溝３２は図３（ａ）においては水平方向に沿って形成されている。シャッター２２には、シャッター開閉方向溝３２に係合する突起が形成されている。従って、シャッター２２は、シャッター開閉方向溝３２の方向、すなわち、図３（ａ）においては水平方向に沿ってのみ移動する。
【００２８】
従って、シャッターガイド２３が最上部に位置する場合においては、シャッター２２は図３（ａ）における破線の通りに位置する。ここで、シャッター２２における図３（ａ）中の左側には、突き出た形状の遮蔽部３３が設けられている。このハウジング１０が組み立てられた後では、前記の開口部２１は、この遮蔽部３３により塞がれる形態となっている。すなわち、この開口部２１はシャッター２２により閉じられた状態となる。
【００２９】
一方、シャッターガイド２３におけるシャッター駆動用突起３１が図３中で、シャッターガイド用バネ２６の弾性力に逆らって上側から押し下げられた場合には、シャッターガイド２３は、図３（ｂ）に示すように、最下部に位置する。
【００３０】
この場合、シャッター駆動用溝３０とシャッター駆動用突起３１、及びシャッター位置決め用溝２７、２８とシャッターガイドハーフパンチ２９との関係で規定された状態で、シャッター２２が水平方向に移動する。その結果、シャッター２２は図３（ｂ）中の破線の通りに位置する。すなわち、図３（ａ）の状態よりも右側に移動する。このため、遮蔽部３３も右側に移動し、前記の開口部２１は開いた状態となる。
【００３１】
従って、開口部２１は、シャッター駆動用突起３１の移動により、シャッター２２によって開閉される。この開口部２１は、冷却風の吸入口となり、水銀ランプ２はこの冷却風によって冷却される。
【００３２】
ここで、シャッター操作用突起３１が移動する方向は、シャッターガイド用溝２４、２５に沿った方向であり、これは、図３（ａ）（ｂ）中では上下方向からわずかに傾いた角度である。しかしながら、上記の開閉動作を実現できる構造であれば、シャッターガイド用溝２４、２５の方向は、これに限られるものではない。ただし、後述するこのランプユニット１の使用時の形態から、この方向は図３（ａ）（ｂ）中での上下方向に近いことが好ましい。一方、シャッター２２が開閉する方向は、 シャッター開閉方向溝３２に沿った方向であり、これは図３（ａ）（ｂ）中では左右の方向である。従って、この関係が保たれるように、シャッター位置決め用溝２７、２８の方向が設定される。これにより、このランプユニット１においては、シャッター操作用突起３１が移動する方向と、シャッター２２が開閉する方向とは略垂直となる。また、シャッター２２、シャッターガイド２３、ランプ固定アングル１２には、上記の形態以外であっても、適宜突起部や溝構造を形成させ、同様の動作を実現することができる。
【００３３】
また、図１に示すように、ハウジング１０においては、ＵＶガラスホルダー１５における開口部２１が形成された側と水銀ランプ２を挟んで反対側の側面には、排気用開口部３４が形成されている。排気用開口部３４は、前記の冷却風の排気口となる。ここで、排気用開口部３４には、金属メッシュ（メッシュ構造部材）３５が設置されている。すなわち、冷却風は、開口部２１が開いている状態で開口部２１から吸気され、排気用開口部３４から金属メッシュ３５を通して排気される。
【００３４】
ここで、このランプユニット１が、プロジェクタ本体４に組み込まれた形態を示す外観図が図４である。ここで、このプロジェクタ５は、プロジェクタ本体４におけるランプユニット取付部６に、このランプユニット１が組み込まれる。図４（ａ）は組み込まれた状態であり、図４（ｂ）は組み込む際の形態を示す図である。ランプユニット取付部６は、ランプユニット１におけるハウジング１０の外形に嵌合する形状となっている。ランプユニット１が組み込まれる際の方向は、図３、４において、破線矢印で示される。すなわち、破線矢印の示す方向にプロジェクタ本体４が存在している。これにより、ランプユニット１はランプユニット取付部６に固定される。なお、図１〜４では省略しているが、実際には、ランプユニット１とプロジェクタ本体４にはそれぞれ配線コネクタが設けられており、ランプユニット１が組み込まれた状態ではこれらが接続される。これにより、ランプユニット１における水銀ランプ２に電力が供給される。
【００３５】
ランプユニット取付部６の構造を示す概略図が図５である。前記の通り、この外形はランプユニット１におけるハウジング１０の外形と略同一であり、ランプユニットが嵌合する形態となっている。ランプユニット１から発した光を受光するレンズ等の光学系（図示せず）が、ＵＶガラス１４に対応した箇所に設けられている。
【００３６】
また、このプロジェクタ本体４には、ファンを用いた空冷手段（図示せず）が設けられている。空冷手段によって発生した冷却風は、ランプユニット１が組み込まれた際には、開口部２１からランプユニット１内に吸入されるように配置されている。
【００３７】
ここで、図５に示すように、シャッター操作用係止部８がランプユニット取付部６内に設けられている。このシャッター操作用係止部８は、ランプユニット取付部６内に設けられた階段状の部分であり、ランプユニット１が組み込まれた際にシャッター駆動用突起３１のある箇所に設けられる。このため、ランプユニット１が組み込まれる際には、シャッター駆動用突起３１は図５におけるシャッター操作用係止部８の上部（当接部９）に当接する。シャッター駆動用突起３１はこれによってシャッターガイド用バネ２６の弾性力に逆らって移動する。
【００３８】
ランプユニット１が組み込まれた状態における外観図が図６である。シャッター駆動用突起３１は、当接部９に当接して押し上げられるため、図６中では最上部（図３中では最下部）に移動する。これにより、シャッター２２は図３（ｂ）に示す状態となる。一方、ランプユニット１が組み込まれていない状態では、特にシャッター駆動用突起３１に力の加わらない限り、図３（ａ）の状態となる。
【００３９】
すなわち、このランプユニット１がプロジェクタ５に組み込まれていない状態では、図３（ａ）に示す状態となり、組み込まれた状態では図３（ｂ）に示す状態となる。従って、このランプユニット１におけるシャッター駆動用突起３１はランプユニット１が組み込まれる際に自動的に移動するため、組み込まれた状態ではシャッター２２が開いた状態となる。一方、このランプユニット１を取り外す際には、バネの力によってシャッター駆動用突起３１はシャッター２２が閉じる方向に移動する。こうした動作は、シャッター駆動用突起３１が移動する方向が、図３（ａ）（ｂ）中におけるほぼ上下方向となっているために実現できる。すなわち、ランプユニット１を組み込む際には、当接部９にシャッター駆動用突起３１が安定して当接するためにこうした動作が実現される。
【００４０】
ランプユニット１を組み込む際にシャッター駆動用突起３１が安定して当接部９に当接するためには、シャッター駆動用突起３１が移動する方向は、このランプユニット１が組み込まれる方向（図３〜５における破線矢印の方向）とほぼ等しいことが必要である。この方向は、シャッターガイド用溝２４、２５の方向に等しい。従って、図３において、シャッターガイド用溝２４、２５の方向は破線矢印の方向と同一、すなわち、上下方向であることが好ましい。この方向は、シャッター２２の移動方法と垂直となる。
【００４１】
なお、ランプユニット取付部６の内部あるいは周囲には、ランプユニット１の固定手段を設けることが好ましい。固定手段は、例えば、ランプユニット１におけるハウジング１０の外形にある凸部と係合する凹部でもよく、ビスを用いる固定手段であってもよい。ランプユニット１を組み込む際には、シャッターガイド用バネ２６の弾性力によって反力が働くが、こうした固定手段を設けることによって、強固にランプユニット１を固定することができる。
【００４２】
この構造のプロジェクタ５において、水銀ランプ２が劣化あるいは、そのガラス管が破損した場合には、利用者はランプユニット１を新品と交換する。この際、交換前にランプユニット１が組み込まれている状態では、開口部２１は開いているが、これをプロジェクタ本体４から取り外した際には、開口部２１は閉じた状態となる。一方、排気用開口部３４には金属メッシュ３５が設置されている。従って、例えばガラス管が破損したランプユニット１を取り外した場合でも、ガラス片が開口部２１から外部にこぼれ落ちることは無い。従って、利用者は安全かつ容易にこの交換作業を行うことができる。
【００４３】
一方、このランプユニット１が組み込まれた状態においては、開口部２１が開いた状態であり、かつここに冷却風が吸入される。この冷却風は水銀ランプ２を冷却した後に排気用開口部３４から排気される。従って、水銀ランプ２は効率的に冷却される。
【００４４】
ここで、例えば、特許文献１に記載された吸気用の開口部及び排気用の開口部にメッシュ構造が設けられた構造では、使用状況によっては、特に吸気側において埃等がメッシュ構造に吸着しやすく、メッシュの開口が塞がれる可能性が高い。これに対して、このランプユニット１においては、金属メッシュ３５は排気用開口部３４側にのみ設けられるため、メッシュの開口が塞がれる可能性は少ない。また、吸気側の開口部２１は使用時には充分開いた状態となるため、これが埃で塞がれる可能性は小さい。従って、冷却効率を安定して高く保つことができる。
【００４５】
また、特許文献１に記載された開閉板を開口部に設けた構造では、開閉板の存在によって冷却風が部分的に遮られるため、冷却効率が低くなった。これに対して、このランプユニット１においては、開口部２１においてシャッター２２が開いた状態では、冷却風を遮るものはないため、高い冷却効率が得られる。
【００４６】
このため、このランプユニット１が用いられる場合には、水銀ランプ２を冷却するためには特に強い冷却風は要求されない。このため、このプロジェクタ本体４における空冷手段としては小型のものを用いることができる。また、例えば、回転するファンがこの空冷手段として用いられる場合、ファンと開口部２１との距離を特に小さくする必要がないため、プロジェクタ５全体の機器構成の設計の自由度が高くなる。
【００４７】
また、このランプユニット１においては、シャッター操作用突起３１が移動する方向と、シャッター２２が開閉する方向とは略垂直である。これに対して、例えば、シャッターの移動方向を図３中における上下方向とする場合、その移動距離の分だけこのランプユニット（ハウジング）を大きくする必要がある。また、シャッター操作用突起が移動する方向を図３中における左右方向とする場合には、この方向はランプユニットを組み込む方向と垂直であるため、組み込み時に自動的にシャッター操作用突起を移動させる操作は困難である。従って、シャッター操作用突起３１が移動する方向とシャッター２２が開閉する方向とを略垂直とした構成により、このランプユニット１全体を小型化できる。
【００４８】
従って、プロジェクタ５全体の機器構成の設計の自由度が高くなり、かつランプユニット１を小型化することができるため、このランプユニット１を用いるプロジェクタ５全体を小型化することができる。
【００４９】
なお、排気用開口部３４の形状、構造は任意である。従って、排気用開口部３４が、ガラス片等が出にくい形状、構造となっている場合には、金属メッシュ３５は不要である。また、排気がランプユニット１における各部から効率的に行われる構造である場合には、排気用開口部３４も不要である。
【００５０】
また、上記の例では、光源として水銀ランプを用いた場合につき説明したが、これに限られるものではなく、交換可能な光源であれば、同様にこのランプユニット内に設置して用いることができることは明らかである。
【００５１】
また、上記の例では、このランプユニットが組み込まれる機器がプロジェクタである場合につき説明したが、これに限られるものではなく、同様に交換可能なランプユニットが用いられる機器に対して本願発明のプロジェクタ及び冷却方法が適用できることは明らかである。
【図面の簡単な説明】
【００５２】
【図１】本発明の実施の形態となるランプユニットの外観図である。
【図２】本発明の実施の形態となるランプユニットの組立構成図である。
【図３】本発明の実施の形態となるランプユニットにおけるシャッターの動作（（ａ）：閉の状態、（ｂ）：開の状態）及びこれに関わる構成を示す図である。
【図４】本発明の実施の形態となるランプユニットが用いられるプロジェクタの外観図（（ａ）ランプユニット取付後、（ｂ）ランプユニット取付前）である。
【図５】本発明の実施の形態となるランプユニットが用いられるプロジェクタにおけるランプユニット取付部の構造を示す斜視図である。
【図６】本発明の実施の形態となるランプユニットが用いられるプロジェクタにおけるランプユニット取付後の形態を示す斜視図である。
【図７】従来のランプユニットの一例を示す外観図（ａ）及び組立構成図（ｂ）である。
【符号の説明】
【００５３】
１、４１  ランプユニット
２、４２  水銀ランプ
４  プロジェクタ本体
５  プロジェクタ
６  ランプユニット取付部
８  シャッター操作用係止部
９  当接部
１０  ハウジング
１１、４３  ランプカートリッジベース
１２  ランプ固定アングル
１３  ランプスプリング
１４、４４  ＵＶガラス
１５  ＵＶガラスホルダー
１６  ＵＶガラスバネ
２１  開口部
２２  シャッター
２３  シャッターガイド
２４、２５  シャッターガイド用溝
２６  シャッターガイド用バネ
２７、２８  シャッター位置決め用溝
２９  シャッターガイドハーフパンチ
３０  シャッター駆動用溝
３１  シャッター駆動用突起
３２  シャッター開閉方向溝
３３  遮蔽部
３４  排気用開口部
３５、４６  金属メッシュ（メッシュ構造部材）
４５  ＵＶガラスベース
【図１】
2008268691.tif 000003
【図２】
2008268691.tif 000004
【図３】
2008268691.tif 000005
【図４】
2008268691.tif 000006
【図５】
2008268691.tif 000007
【図６】
2008268691.tif 000008
【図７】
2008268691.tif 000009